(57)【要約】【課題】蓋部材を開位置に配置した時に機器本体内部への静電気の侵入を確実に抑止し得る蓋装置を有する携帯用機器を提供する。【解決手段】蓋装置１０を有した携帯用機器１において、機器本体２に対し開閉可能であり非導電性の材料により成型された蓋部材１１と、金属材料からなり蓋部材に固着され機器本体内の電気回路内の基準電位である導電部との間を電気的に導通させる導電部材１３と、導電性のゴム材料で被覆され金属材料からなり蓋部材の機械的強度を補強するために蓋部材に固定され導電部材と電気的に導通した補強部材１２ａとを具備する。【選択図】図３
2013148771.tif 000002
【特許請求の範囲】
【請求項１】
蓋装置を有した携帯用機器において、
機器本体に対し開閉可能であり、非導電性の材料により成型された蓋部材と、
金属材料からなり、上記蓋部材に固着され、上記機器本体内の電気回路内の基準電位である導電部との間を電気的に導通させる導電部材と、
導電性のゴム材料で被覆され、金属材料からなり、上記蓋部材の機械的強度を補強するために、上記蓋部材に固定され、上記導電部材と電気的に導通した補強部材と、
を具備したことを特徴とした蓋装置を有した携帯用機器。
【請求項２】
上記導電部材は、上記蓋部材が上記携帯用機器に対して回動可能となるようにヒンジ部が形成されていることを特徴とした請求項１に記載の蓋装置を有した携帯用機器。
【請求項３】
上記導電性のゴム材料は、防塵防滴用のシール部材であることを特徴とした請求項１に記載の蓋装置を有した携帯用機器。
【請求項４】
上記携帯用機器はデジタルカメラであり、上記蓋装置は電池蓋であることを特徴とした請求項２に記載の蓋装置を有した携帯用機器。
【発明の詳細な説明】
【技術分野】
【０００１】
この発明は、携帯用機器、詳しくは蓋装置を有する携帯用機器において、蓋部材の開放時に静電気による内部電気回路への悪影響を抑止する技術に関するものである。
【背景技術】
【０００２】
従来の携帯用機器（例えばカメラ等）においては、機器の外面を覆い箱形状に形成される外装部材と、この外装部材の内部に設けられる各種の構成部材等によって形成されているのが普通である。この場合において、箱形状の外装部材には、その内部に配設されている構成部材に対して外部からのアクセスを許容するために、外装部材の一部を開閉可能に構成した蓋装置を備えて構成されるものがある。
【０００３】
このような形態の蓋装置において、該蓋装置の一部を構成する蓋部材は、上記外装部材の内部に形成される電池室や記録媒体収納室等の開口部，外部機器接続用コネクタの配設部等を外部に対して露呈する開位置と、上記開口部等を外部から遮蔽する閉位置との間で変位し得るように、例えば蓋部材に支持軸部材を設け、蓋部材が外装部材に対して支持軸部材を回動中心として回動若しくは揺動可能に軸支されて構成した開閉構造を有しているものがある。また、上記支持軸部材にコイルバネ等の付勢部材を設けて、蓋部材を開方向若しくは閉方向に付勢するような工夫や、蓋部材を閉位置で固定するロック機構等を有している。
【０００４】
そして、このような蓋装置においては、例えば機器の通常使用時においては、蓋部材を閉位置に配置して、外装部材内部の電池室，記憶媒体収納室の開口部や外部機器接続用コネクタの配設部等を外部から遮蔽した状態とし得るようになっている。一方、蓋装置は、電池や記録媒体を着脱したり、外部機器接続用コネクタに接続ケーブルのコネクタを装着して外部機器とのケーブル接続を行おうとする場合等には、蓋部材を開位置へと移動させて、電池室，記憶媒体収納室等の開口部や外部機器接続用コネクタの配設部等を外部に露呈させ得るように構成されている。
【０００５】
この種の蓋装置においては、上述したように、蓋部材を開位置に配置した時には、電池室，記憶媒体収納室等の開口部や外部機器接続用コネクタの配設部等が外部に露呈することになる。このとき、これらの開口部等から静電気が内部に侵入すると、内部電気回路等に悪影響を及ぼす可能性がある。
【０００６】
そこで、上述したような形態の従来の蓋装置を有する携帯機器においては、蓋装置を構成する部材のうち、例えば蓋部材の一部を構成する金属部材の形状を工夫して、該蓋部材の金属部材が、上記支持軸部材等の金属部材を介して内部電気回路のグランド切片に電気的に接続するような構成のものが実用化されている。
【０００７】
一方、従来の蓋装置を有する携帯用機器においては、水中等の環境下でも使用し得るような防水機能を有するものが一般に普及している。防水機能を備えた蓋装置を有する携帯機器においては、例えば特開２００９−２１６９４８号公報，特開２０１１−１５４８２０号公報等によって開示されているように、例えば蓋装置に防水パッキン等を備えることで、蓋部材が閉位置に配置された状態においても外装部材の開口部等から水等が内部に浸入しないようにする構造となっている。
【先行技術文献】
【特許文献】
【０００８】
【特許文献１】特開２００９−２１６９４８号公報
【特許文献２】特開２０１１−１５４８２０号公報
【発明の概要】
【発明が解決しようとする課題】
【０００９】
ところが、防水，防塵等を考慮した携帯用機器においては、蓋装置にも防水機能を付加する必要があり、この蓋部材に水密性を確保するため蓋部材の強度を上げて蓋部材変形を防止する若しくは蓋部材の補強を行う金属部材と、防水パッキン部材とを付加することになる。
【００１０】
こうなると、たとえ金属部材が静電気を携帯機器の本体に導くように構成されていたとしても防水パッキンが絶縁性の部材からなっていれば、発生していた静電気は、素直に金属部材には導かれずに、挿入しようとする電池表面や記憶媒体表面から機器本体内部に侵入し、電気回路損傷を発生させてしまう虞があった。
【００１１】
本発明は、上述した点に鑑みてなされたものであって、その目的とするところは、蓋部材を開位置に配置した時に機器本体内部への静電気の侵入を確実に抑止し得る蓋装置を有する携帯用機器を提供することである。
【課題を解決するための手段】
【００１２】
上記目的を達成するために、本発明の一態様の携帯用機器は、蓋装置を有した携帯用機器において、機器本体に対し開閉可能であり非導電性の材料により成型された蓋部材と、金属材料からなり上記蓋部材に固着され上記機器本体内の電気回路内の基準電位である導電部との間を電気的に導通させる導電部材と、導電性のゴム材料で被覆され金属材料からなり上記蓋部材の機械的強度を補強するために上記蓋部材に固定され上記導電部材と電気的に導通した補強部材と、を具備した。
【発明の効果】
【００１３】
本発明によれば、蓋部材を開位置に配置した時に機器本体内部への静電気の侵入を確実に抑止し得る蓋装置を有する携帯用機器を提供することができる。
【図面の簡単な説明】
【００１４】
【図１】本発明の一実施形態の携帯用機器（カメラ）の外観斜視図（蓋部材閉位置）
【図２】図１の携帯用機器（カメラ）の外観斜視図（蓋部材開位置）
【図３】図１の携帯用機器（カメラ）における蓋装置の分解斜視図
【図４】図３の蓋装置の断面図（図１の［４］−［４］断面）
【図５】図３の蓋装置の断面図（図１の［５］−［５］断面）
【発明を実施するための形態】
【００１５】
本発明の一実施形態は、本発明を適用する蓋装置を有した携帯用機器として、例えば光学レンズにより形成される光学像を固体撮像素子を用いて光電変換し、これによって得られる画像信号を静止画像や動画像を表わすデジタルデータとして記録媒体に記録し、また記録媒体に記録されたデジタル画像データに基いて静止画像や動画像を表示装置に再生表示し得るように構成され、かつ防水機能を備えたカメラを例示するものである。
【００１６】
また、本実施形態においては、カメラの使用時に被写体に対向する面をカメラの前面というものとする（図１の符号ＦＲで示す）。カメラの使用時に使用者が対面する面をカメラの背面というものとする。また、操作部材のうちシャッターレリーズボタンが配設されている面を上面というものとする。そして、カメラの上面に対向する面を底面というものとする（図１の符号ＢＴで示す）。さらに、カメラの通常の使用状態で両側に配置される面を左側面及び右側面というものとする。この場合における左右の判別は、被写体側からカメラの前面に向かって見たときの左側又は右側をそれぞれ左又は右として区別する。
【００１７】
なお、以下の説明に用いる各図面においては、各構成要素を図面上で認識可能な程度の大きさとするため、各構成要素毎に縮尺を異ならせて示している場合がある。したがって、本発明は、これらの図面に記載された構成要素の数量，構成要素の形状，構成要素の大きさの比率及び各構成要素の相対的な位置関係は、図示の形態のみに限定されるものではない。
【００１８】
図１，図２は、本発明の一実施形態の携帯用機器を示す外観斜視図である。このうち図１は蓋装置における蓋部材を閉位置に配置した状態を示している。また、図２は蓋装置における蓋部材を開位置に配置した状態を示している。
【００１９】
本実施形態の携帯用機器は、蓋装置１０を備え、かつ防水機能を有して構成されるカメラである。以下、携帯用機器としてのカメラに対し符号１を附して説明する。
【００２０】
カメラ１は、箱形状からなり機器の主要本体部（機器本体）を構成する外装部材２と、蓋装置１０と、上記外装部材２の内部に配設される各種の構成部材等によって構成される。
【００２１】
カメラ１の前面側ＦＲには、外装部材２の所定の部位に形成される撮影開口２ａと、閃光発光窓２ｂ等が形成されている。撮影開口２ａに相当する部位の外装部材２の内部には撮影光学系（不図示）が配設されている。また、閃光発光窓２ｂに相当する部位の外装部材２の内部には閃光発光装置（不図示）が配設されている。
【００２２】
カメラ１の底面側ＢＴには、蓋装置１０と、三脚ネジ孔２ｃ等が配設されている。三脚ネジ孔２ｃは、カメラ１を三脚等に固定するためのネジ部である。
【００２３】
蓋装置１０は、上述したように、外装部材２の一部を開閉可能に構成する構成ユニットである。本実施形態における蓋装置１０は、図２に示すように、外装部材２の内部に形成される電池室及び記録媒体収納室１ａの開口部２ｅを開閉するために設けられている。即ち、上記カメラ１においては、蓋装置１０は電池蓋として機能するものである。
【００２４】
そのために、蓋装置１０は、外装部材２の内部に形成される電池室及び記録媒体収納室１ａの開口部２ｅを外部に対して露呈する開位置（図２参照）と、上記開口部２ｅを外部から遮蔽する閉位置（図１参照）との間で変位し得るように構成されている。
【００２５】
そして、この蓋装置１０は、図１に示す閉位置に配置された時に、上記開口部２ｅを水密的に遮蔽するためのシール部材、例えば弾性を有するゴム状部材（シリコーン樹脂等）等によって形成される防塵防滴機能を実現するシール部材１２（図２参照）を有している。また、上記蓋装置１０は、図１に示す閉位置に配置された時、その閉位置を維持するための蓋ロック機構を有して構成される。図１においては、蓋ロック機構のうちの二つの操作部（第一操作部１４ａ，第二操作部１５ａ）が図示されている。また、図２においては、蓋ロック機構のうちの係止爪部１４ｂが図示されている。なお、係止爪部１４ｂは、所定方向（カメラ１の左右方向）にスライド移動可能に構成される。そして、係止爪部１４ｂは、蓋装置１０が閉位置に配置された時に、外装部材２の開口部２ｅ近傍に設けられる凹状の被係止部２ｄに係合する。これにより、蓋装置１０は閉位置で係止されるように構成されている。
【００２６】
次に、上記カメラ１における蓋装置１０の詳細構成を、図３、図４，図５を用いて以下に説明する。図３は、蓋装置の分解斜視図である。図４，図５は、蓋装置１０の断面図である。このうち図４は、図１の［４］−［４］断面を示し、図５は、図１の［５］−［５］断面を示している。
【００２７】
上記カメラ１における蓋装置１０は、図３に示すように、一端が外装部材２の一角部（図１，図２の符号Ａ参照）において軸部材１８（図３参照；後述）を回動中心（回転中心）として図２に示す矢印Ｒ方向に沿って回動（回転）自在となるように軸支されている。蓋装置１０は、図１の状態としたときには開口部２ｅを遮蔽し、図２の状態としたときには開口部２ｅを露呈させるように作用する。
【００２８】
開口部２ｅは、上述したように、外装部材２の内部に形成される電池室及び記録媒体収納室１ａの開口である。電池室及び記録媒体収納室１ａには、例えば着脱式の充電式バッテリーや着脱式のメモリカード等が配設される。そして、蓋装置１０を図２の開位置に配置したとき、これらのバッテリーやメモリカード等を外装部材２の内部、つまり電池室及び記録媒体収納室１ａに対して着脱することができるように構成されている。
【００２９】
蓋装置１０は、図１の閉位置に配置したときにカメラ１の外装部材２の底面側ＢＴの一部を構成する蓋部材１１と、同様に閉位置に配置したときに蓋部材１１と開口部２ｅとの間の水密状態を保持するためのシール部材１２と、このシール部材１２と蓋部材１１との間に挟まれて配置される導電部材１３と、蓋部材１１内に配設され該蓋装置１０が閉位置にある時にその閉位置を維持する蓋ロック機構を構成する複数部材（１４，１５，１６；詳細後述）と、蓋装置１０が外装部材２に取り付けられた状態とされた時に蓋装置１０を開位置へと常に付勢するコイルバネ等からなる付勢ばね１７と、蓋部材１１の一端に設けられ蓋装置１０を外装部材２に対して回動自在に軸支する軸部材１８と、上記シール部材１２と上記導電部材１３とを蓋部材１１に対してネジ止め固定するための複数（本実施形態では二本）のビス１９ａ，１９ｂ等によって主に構成されている。
【００３０】
蓋部材１１は、一面が開口した箱型形状からなり、一端部には軸部材１８が貫通配置される貫通穴１１ｆを有しヒンジ部を形成する腕部１１ｅが形成されている。腕部１１ｅの中程には凹部１１ｇが形成されており、この凹部１１ｇには、上記軸部材１８を挿通した状態の付勢ばね１７が配置される。したがって、軸部材１８は、蓋部材１１の腕部１１ｅの貫通穴１１ｆに挿通配置される際には、凹部１１ｇに配置された付勢ばね１７にも挿通される状態になる。こうして蓋部材１１の腕部１１ｅに取り付けられた軸部材１８の両端部は、外装部材２の上記角部Ａにおいて固定配置される。これにより、蓋部材１１は、軸部材１８を回動中心として回動自在に軸支され、開口部２ｅを開閉し得るようになっている。なお、図示は省略しているが、軸部材１８は外装部材２の内部に設けられる電気回路の基準電位である導通部、即ちグランド（ＧＮＤ）切片との間で電気的に接続されている。
【００３１】
また、蓋部材１１の内部には、蓋ロック機構を構成する複数の部材、即ち係止部材１４と、コイルバネ１６と、ロック部材１５とが配置されている。係止部材１４は、蓋部材１１を閉位置で係止状態とし、また、その係止状態を解除するための操作部材である。コイルバネ１６は、係止部材１４を一方向に付勢する付勢部材であり、例えば伸長性を有するコイル状バネ部材からなる。ロック部材１５は、係止部材１４の所定方向への移動を規制し、その規制状態を解除するための操作部材である。
【００３２】
係止部材１４は、蓋部材１１に対して図３に示す矢印Ｘ方向に移動自在となるように、上記蓋部材１１の内部に形成された凹状部１１ｂに配置されている。係止部材１４の一端には、蓋装置１０が閉位置に配置された時に外装部材２の被係止部２ｄに係合する係止爪部１４ｂが形成されている。また、係止部材１４の一面、即ち蓋装置１０が外装部材２に取り付けられて閉位置に配置された時にカメラ１の底面側ＢＴを向く面には、係止部材１４を矢印Ｘ方向に移動させるための第一操作部１４ａが形成されている。これに応じて、蓋部材１１には、この第一操作部１４ａが対向する部位に第一操作開口１１ｃ（図１参照）が穿設されている。この第一操作開口１１ｃは、図３の矢印Ｘ方向に長軸を有して形成されており、上記第一操作部１４ａが同矢印Ｘ方向にのみ移動可能となるような形状となっている。したがって、第一操作部１４ａは、図１に示すように、その先端部位が外部に露呈するように配置されている。これにより、第一操作部１４ａは、外部から図３の矢印Ｘ方向へ移動操作することができるように構成されている。
【００３３】
なお、係止部材１４の中程には、穴部１４ｄａが形成されている。この穴部１４ｄａは、蓋部材１１の円柱形状のボス１１ｄａに係合するように形成されている。この場合において、穴部１４ｄａは、幅寸法がボス１１ｄａの直径より若干大となるように、かつ図３の矢印Ｘ方向に長軸を有する長孔形状に形成されている。これによっても、係止部材１４は、上述したように図３の矢印Ｘ方向にのみ移動し得るようになっている。
【００３４】
蓋部材１１の凹状部１１ｂには、係止部材１４の他端部を押圧するようにコイルバネ１６が緊縮状態で配置されている。つまり、コイルバネ１６は、上記凹状部１１ｂの内部において、一端が係止部材１４の他端部に当接し、他端が凹状部１１ｂ内の固定部（不図示）に当接している。この構成により、係止部材１４は、コイルバネ１６の付勢力によって、係止爪部１４ｂが形成された一端側を外方に向けて突出するように、常に付勢されている。なお、蓋部材１１の他端には、係止爪部１４ｂが突没し得るように切欠１１ｈが形成されている。
【００３５】
係止爪部１４ｂは、蓋部材１１が閉位置に配置されたときに外装部材２の被係止部２ｄ（図２参照）に係止されるようになっている。これにより、蓋装置１０の閉位置が維持されるようになっている。なお、係止爪部材等によって構成される蓋装置１０の外装部材２に対する係止機構自体については、本発明に直接関連する構成ではないので、この種の機器において一般に用いられる機構が適用されるものとして、その構成の詳細説明は省略し、概略のみを説明するに留める。
【００３６】
この構成により、蓋装置１０が閉位置にある時に、使用者が第一操作部１４ａを摘んで図３の矢印Ｘ方向において係止爪部１４ｂが蓋部材１１内へと引き込まれる方向に操作すれば、被係止部２ｄと係止部材１４との係止状態を解除して、蓋部材１１を開位置へと回動させ得る状態にすることができる。
【００３７】
また、蓋部材１１が開位置にある時には、使用者は、蓋部材１１を開口部２ｅに向けて押圧すれば、係止爪部１４ｂが外装部材２に当接してコイルバネ１６の付勢力に抗して係止部材１４を内部に向けて移動させる。その後、係止爪部１４ｂが外装部材２の被係止部２ｄに対向する部位にくると、係止部材１４がコイルバネ１６の付勢力によって突出方向に移動し、係止爪部１４ｂが被係止部２ｄに係止される。これにより、蓋装置１０を閉位置に配置させることができる。
【００３８】
一方、蓋部材１１の凹状部１１ｂの内部において、係止部材１４の近傍には、ロック部材１５が、その一部１５ｃを係止部材１４の一部１４ｃに当接させたロック状態（係止状態）で配置されている。
【００３９】
ロック部材１５の一面、即ち蓋装置１０が外装部材２に取り付けられて閉位置に配置された時にカメラ１の底面側ＢＴを向く面には、ロック部材１５を図３の矢印Ｙ方向（同図矢印Ｘ方向に対して直交する方向）に移動させるための第二操作部１５ａが形成されている。これに応じて、蓋部材１１には、この第二操作部１５ａが対向する部位に第二操作開口１１ａ（図１，図３参照）が穿設されている。この第二操作開口１１ａは、図３の矢印Ｙ方向に長軸を有して形成されており、上記第二操作部１５ａが同矢印Ｙ方向にのみ移動可能となるような形状となっている。したがって、第二操作部１５ａは、図１に示すように、その先端部位が外部に露呈するように配置されている。これにより、第二操作部１５ａは、外部から図３の矢印Ｙ方向へ移動操作することができるように構成されている。
【００４０】
また、ロック部材１５の他面、即ち上記第二操作部１５ａとは反対側の対向面には、溝部１５ｂが形成されている。この溝１５ｂは、ロック部材１５の移動方向である図３の矢印Ｙ方向に対して直交する方向に延びるように形成されている。この溝１５ｂは、詳細は後述するが、上記導電部材１３のクリック部１３ｂが作用して、ロック部材１５の移動に関するクリック機構を形成するクリック溝となっている。そして、使用者による第二操作部１５ａの図３の矢印Ｙ方向への移動操作によって、ロック部材１５は、係止部材１４の同図矢印Ｘ方向への移動を規制（係止状態）したり、同方向への移動を許容するように構成されている。なお、蓋部材１１，係止部材１４，ロック部材１５は、それぞれが非導電性の材料、例えばポリカーボネート（Polycarbonate）等を用いて成型された樹脂モールド部品である。
【００４１】
導電部材１３は、薄板状金属部材（例えばステンレス鋼等）を板金加工して形成されており、蓋部材１１の箱型形状の一面の開口を覆うように配設されている。導電部材１３の中程には、上記ロック部材１５の溝１５ｂに作用するクリック部１３ｂを有するクリックバネ部１３ａが形成されている。このクリックバネ部１３ａは、導電部材１３の一部を切り欠いて板バネ形状に形成した部位である。導電部材１３を蓋部材１１に対して組み付けた時、クリックバネ部１３ａのクリック部１３ｂは、ロック部材１５の溝１５ｂに対向する部位であって、ロック部材１５の矢印Ｙ方向への移動に伴って係脱し得る部位に配置される。
【００４２】
また、導電部材１３の一方の端部であって、該導電部材１３を蓋部材１１に対して組み付けた時に蓋部材１１のヒンジ部である腕部１１ｅに対応する部位には、腕部１１ｅと略同形状で、同腕部１１ｅの凹部１１ｇに納まるような形状の腕部１３ｅが形成されている。この腕部１３ｅには、上記軸部材１８が挿通する貫通穴１３ｆが形成されている。したがって、上述したように、軸部材１８は、蓋部材１１の腕部１１ｅの貫通穴１１ｆに挿通配置される際には、凹部１１ｇに配置されたコイルバネ１７にも挿通されると同時に、導通部材１３の腕部１３ｅの貫通穴１３ｆにも挿通される状態となる。ここで、軸部材１８と導通部材１３とは、常に安定的に接触状態が確保されるようになっている。したがって、導通部材１３は、軸部材１８を介して内部電気回路の基準電位である導通部（グランド（ＧＮＤ）切片）との間で電気的に接続されている。
【００４３】
さらに、導通部材１３の長手軸方向（図３の矢印Ｘ方向）における両端部近傍には、それぞれに穴１３ｄａ，１３ｄｂが穿設されている。この穴１３ｄａ，１３ｄｂは、後述するように、シール部材１２及び導電部材１３を蓋部材１１に固定するためのビス１９ａ，１９ｂを挿通させる挿通穴である。
【００４４】
シール部材１２は、導電性のゴム材料によって形成され、例えば防塵防滴機能を実現するために配設されている。そのために、シール部材１２の一方の面の周縁部近傍には、垂直に立つリップ部１２ｃを有して形成されている。このリップ部１２ｃは、蓋装置１０を外装部材２に組み付けて閉位置に配置した時に、開口部２ｅの周縁に圧接するように形成されている。
【００４５】
シール部材１２の内部には、薄板状金属材料（例えばステンレス鋼等）からなり蓋部材１１の機械的強度を補強するための補強部材１２ａが配設されている。換言すれば、補強部材１２ａの外面は、シール部材１２によって被覆されており、両者は一体成型部品として構成されている。
【００４６】
シール部材１２は、導通部材１３の一面に載置した状態で、その導電部材１３と共に、蓋部材１１に対してビス１９ａ，１９ｂによってビス止め固定されている。そのために、シール部材１２の長手軸方向（図３の矢印Ｘ方向）における両端部近傍には、それぞれに穴１２ｄａ，１２ｄｂが穿設されている。したがって、ビス１９ａ，１９ｂは、シール部材１２の穴１２ｄａ，１２ｄｂを挿通し、導通部材１３の穴１３ｄａ，１３ｄｂを挿通した後、蓋部材１１のボス１１ｄａ，１１ｄｂに設けられるビス穴に螺合して、シール部材１２及び導電部材１３を蓋部材１１に固定するように構成されている。
【００４７】
また、シール部材１２の他方の面において、穴１２ｄａ，１２ｄｂの内周縁部には、シール部材１２を導通部材１３に載置し固定した時に、導通部材１３の穴１３ｄａ，１３ｄｂを通過して蓋部材１１のボス１１ｄａ，１１ｄｂの先端周縁部１１ｄａａ，１１ｄｂｂに圧接する突出部１２ｄ（図４参照）が形成されている。なお、シール部材１２の他方の面は、上記突出部１２ｄ以外は略平面状に形成されている。
【００４８】
したがって、シール部材１２を導通部材１３に載置し固定した状態においては、導電性ゴム材料からなるシール部材１２（及びシール部材１２に被覆され内部に設けられる金属製の補強部材１２ａ）と、薄板金属部材からなる導電部材１３とは、平面同士が略密着した状態となる。これによって、シール部材１２と導電部材１３との間は、電気的に導通状態となり、かつ、その導通状態は安定的に維持される。また、この平面同士が略密着した状態となるので、導通部材１３とシール部材１２との間から水が浸潤する程度が低くなる。さらに、突出部１２ｄがボス１１ｄａ，１１ｄｂの先端周縁部１１ｄａａ，１１ｄｂｂそれぞれに当接圧縮されて当接するので外部からの水等が先端周縁部１１ｄａａ，１１ｄｂｂから導通部材１３の穴１３ｄａ，１３ｄｂを通過して電池室及び記録媒体収納室１ａ内に洩れてくることもない。
【００４９】
なお、シール部材１２の他方の面、即ち導通部材１３に対向する面に、所定の位置に凸形状部を形成するようにしてもよい（不図示）。この凸形状部を設けることによって、シール部材１２を導通部材１３の一面上に載置した時、両者間の導通がより確実なものとすることができるようになる。
【００５０】
以上説明したように上記一実施形態によれば、蓋装置１０において、導電性ゴム材料のシール部材１２と金属製の補強部材１２ａとを一体成型部品で構成し、このシール部材１２（及び補強部材１２ａ）と金属製の導電部材１３との間の電気的な導通状態を常に安定した状態となるように構成し、導電部材１３から軸部材１８を介して内部電気回路の導通部（ＧＮＤ）との間を電気的に接続するように構成している。
【００５１】
したがって、この構成により、本実施形態においては、蓋装置１０が開位置に配置された時に、開口部２ｅから内部へ向かおうとする静電気を確実に抑止することができ、よって、機器本体である外装部材２の内部に配設される電気回路に対して悪影響を及ぼすことがない。また、静電気を抑止するための工夫として、シール部材１２を形成する材料を導電性ゴム材料とし、これと金属製の補強部材１２ａを一体に構成したのみで、新たな部材の追加等を要することがない。したがって、部品増加によって内部スペースを圧迫したり製造コストを上昇させるようなこともない。
【００５２】
さらに、シール部材１２は、防塵防滴機能を有するゴム材料で構成したので、上述の静電気の内部侵入対策と同時に、防塵防滴性能を両立させることができる。
【００５３】
なお、本実施形態においては、携帯用機器（カメラ１）における蓋装置１０は、電池室及び記録媒体収納室１ａの開口部２ｅを開閉するもの（いわゆる電池蓋）として例示しているが、この例に限られることはない。例えば、外部機器接続用コネクタの配設部の開閉を行う蓋装置であっても同様に適用できる。
【００５４】
また、本実施形態においては、蓋装置１０におけるシール部材１２は、例えば防塵防滴機能を実現するために設けたゴム製シール部材として例示しているが、この例に限られることはない。例えば、シール部材１２については防塵防滴機能まで求める必要はなく、蓋装置１０を閉位置に配置した時に、蓋部材１１と開口部２ｅとの間を密閉させ得る機能が少なくともあればよい。
【００５５】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。
【産業上の利用可能性】
【００５６】
本発明は、携帯用の電子機器、例えばカメラ，携帯電話，音声再生機器，録音機器，電子手帳，電子辞書，パーソナルコンピュータ，ゲーム機器，テレビ，時計，ＧＰＳ（Global Positioning System）を利用したナビゲーション機器等、各種の携帯用の電子機器に広く適用することができる。
【符号の説明】
【００５７】
１……カメラ，１ａ……記録媒体収納室，
２……外装部材，２ｄ……被係止部，２ｅ……開口部，
１０……蓋装置，
１１……蓋部材，１１ａ……第二操作開口，１１ｂ……凹状部，１１ｃ……第一操作開口，１１ｅ……腕部，１１ｆ……貫通穴，１１ｇ……凹部，１１ｈ……切欠，
１２……シール部材，１２ａ……補強部材，１２ｃ……リップ部，１２ｄ……突出部，
１３……導電部材，１３ａ……クリックバネ部，１３ｂ……クリック部，１３ｅ……腕部，１３ｆ……貫通穴，
１４……係止部材，１４ａ……第一操作部，１４ｂ……係止爪部，
１５……ロック部材，１５ａ……第二操作部，１５ｂ……溝部，
１６……コイルバネ，１７……付勢ばね，１８……軸部材，１９ａ，１９ｂ……ビス，
ＦＲ……前面側，ＢＴ……底面側
【図１】
2013148771.tif 000003
【図２】
2013148771.tif 000004
【図３】
2013148771.tif 000005
【図４】
2013148771.tif 000006
【図５】
2013148771.tif 000007